(57)【要約】【課題】  ＵＳＢ  ＰＤ規格に準拠した新しいタイプの電池とＵＳＢ  ＰＤ規格に準拠していない古いタイプの電池のいずれも利用可能な電子機器を提供する。【解決手段】  電子機器（１００）は、第１の接続手段（１０８）に接続された第１の電池または第３の電池から供給された電圧を検出する第１の検出手段と、第２の接続手段（１０６）に接続された第２の電池または第３の電池から供給された電圧を検出する第２の検出手段と、電子機器に接続された電池が第１の電池である場合には、第１の電池から第１の接続手段を介して供給される電力を選択し、電子機器に接続された電池が第２の電池である場合には、第２の電池から第２の接続手段を介して供給される電力を選択し、電子機器に接続された電池が第３の電池である場合には、第３の電池から第１の接続手段または第２の接続手段を介して供給される電力を選択する選択手段とを有する。【選択図】  図５
2019092291.tif 000002
【特許請求の範囲】
【請求項１】
第１の電池、第２の電池または第３の電池と接続可能な電子機器であって、
前記第１の電池または前記第３の電池が接続される第１の接続手段と、
前記第２の電池または前記第３の電池が接続される第２の接続手段と、
前記第１の接続手段に接続された前記第１の電池または前記第３の電池から供給された電圧を検出する第１の検出手段と、
前記第２の接続手段に接続された前記第２の電池または前記第３の電池から供給された電圧を検出する第２の検出手段と、
前記電子機器に接続された電池が前記第１の電池、前記第２の電池および前記第３の電池のいずれであるかを、前記第１の検出手段の検出結果と前記第２の検出手段の検出結果とに基づいて判定する判定手段と、
前記電子機器に接続された電池が前記第１の電池である場合には、前記第１の電池から前記第１の接続手段を介して供給される電力を選択し、前記電子機器に接続された電池が前記第２の電池である場合には、前記第２の電池から前記第２の接続手段を介して供給される電力を選択し、前記電子機器に接続された電池が前記第３の電池である場合には、前記第３の電池から前記第１の接続手段または前記第２の接続手段を介して供給される電力を選択する選択手段と
を有することを特徴とする電子機器。
【請求項２】
前記電子機器に接続された電池が前記第３の電池である場合、前記選択手段は、前記第３の電池が有する接続手段に外部機器が接続されていない場合に、前記第３の電池から前記第１の接続手段を介して供給される電力を選択することを特徴とする請求項１に記載の電子機器。
【請求項３】
前記電子機器に接続された電池が前記第３の電池である場合、前記選択手段は、前記第３の電池が有する接続手段に接続されている外部機器からの電力供給がない場合に、前記第３の電池から前記第１の接続手段を介して供給される電力を選択することを特徴とする請求項１または２に記載の電子機器。
【請求項４】
前記電子機器に接続された電池が前記第３の電池である場合、前記選択手段は、前記第３の電池が有する接続手段に接続されている外部機器からの電力供給がある場合に、前記第３の電池から前記第２の接続手段を介して供給される電力を選択することを特徴とする請求項１から３のいずれか１項に記載の電子機器。
【請求項５】
前記第１の検出手段および前記第２の検出手段は、前記電子機器に接続される電池が収納される収納室に設けられていることを特徴とする請求項１から４のいずれか１項に記載の電子機器。
【請求項６】
前記第２の接続手段は、ＵＳＢ  ＴＹＰＥ−Ｃ規格に準拠することを特徴とする請求項１から５のいずれか１項に記載の電子機器。
【請求項７】
前記第２の電池および前記第３の電池は、ＵＳＢ  ＰＤ規格に準拠した電池であることを特徴とする請求項１から６のいずれか１項に記載の電子機器。
【請求項８】
前記第２の電池または前記第３の電池が前記第２の接続手段に供給する電圧は、前記第１の電池が前記第１の接続手段に供給する電圧よりも高いことを特徴とする請求項１から７のいずれか１項に記載の電子機器。
【発明の詳細な説明】
【技術分野】
【０００１】
本発明は、電子機器およびその制御方法に関するものである。
【背景技術】
【０００２】
ＵＳＢ（Ｕｎｉｖｅｒｓａｌ  Ｓｅｒｉａｌ  Ｂｕｓ）規格には様々な規格が存在する。ＵＳＢ規格の一つであるＵＳＢ  ＴＹＰＥ−Ｃ規格は、電子機器のコネクタに関する規格である。ＵＳＢ  ＴＹＰＥ−Ｃ規格に準拠したコネクタは、２つの電子機器間でのデータ通信に利用できるだけでなく、２つの電子機器間での電力供給にも利用できる。ＵＳＢ規格の一つであるＵＳＢ  ＰＤ（Ｐｏｗｅｒ  Ｄｅｌｉｖｅｒｙ）規格は、電力供給方法に関する規格である。ＵＳＢ  ＰＤ規格に準拠した２つの電子機器は、給電に関するネゴシエーションを行うことができ、双方で合意した給電プロファイルに従って電力供給を行うことができる。
【０００３】
特許文献１には、通常の状態では、電力供給元から電力供給先に対し、ＵＳＢで規定された標準電圧により給電を実施する方法が記載されている。ただし、特許文献１では、接続された電力供給先は、電力供給元とのネゴシエーションで電圧の変更を要求し、電力供給元は、この要求に応じる場合には、標準電圧以外の電圧で電力供給先に対して電力を供給する。
【先行技術文献】
【特許文献】
【０００４】
【特許文献１】特開２００３−２６３２４５号公報
【発明の概要】
【発明が解決しようとする課題】
【０００５】
しかしながら、ＵＳＢ  ＰＤ規格に準拠した新しいタイプの電池が様々なユーザに普及するまでの過渡期においては、ＵＳＢ  ＰＤ規格に準拠した新しいタイプの電池とＵＳＢ  ＰＤ規格に準拠していない古いタイプの電池とが市場に混在することが想定される。このような状況において、ＵＳＢ  ＰＤ規格に準拠していない古いタイプの電池が利用できなくなるのは、ユーザにとっては不便であることが想定される。
【０００６】
そこで、本発明は、ＵＳＢ  ＰＤ規格に準拠した新しいタイプの電池とＵＳＢ  ＰＤ規格に準拠していない古いタイプの電池のいずれも利用可能な電子機器を提供することを目的とする。
【課題を解決するための手段】
【０００７】
本発明に係る電子機器は、第１の電池、第２の電池または第３の電池と接続可能な電子機器であって、前記第１の電池または前記第３の電池が接続される第１の接続手段と、前記第２の電池または前記第３の電池が接続される第２の接続手段と、前記第１の接続手段に接続された前記第１の電池または前記第３の電池から供給された電圧を検出する第１の検出手段と、前記第２の接続手段に接続された前記第２の電池または前記第３の電池から供給された電圧を検出する第２の検出手段と、前記電子機器に接続された電池が前記第１の電池、前記第２の電池および前記第３の電池のいずれであるかを、前記第１の検出手段の検出結果と前記第２の検出手段の検出結果とに基づいて判定する判定手段と、前記電子機器に接続された電池が前記第１の電池である場合には、前記第１の電池から前記第１の接続手段を介して供給される電力を選択し、前記電子機器に接続された電池が前記第２の電池である場合には、前記第２の電池から前記第２の接続手段を介して供給される電力を選択し、前記電子機器に接続された電池が前記第３の電池である場合には、前記第３の電池から前記第１の接続手段または前記第２の接続手段を介して供給される電力を選択する選択手段とを有する。
【発明の効果】
【０００８】
本発明によれば、ＵＳＢ  ＰＤ規格に準拠した新しいタイプの電池とＵＳＢ  ＰＤ規格に準拠していない古いタイプの電池のいずれも利用可能な電子機器を提供することができる。
【図面の簡単な説明】
【０００９】
【図１】実施形態１における電子機器１００を説明するための図である。
【図２】実施形態１における３種類の電池を説明するための図である。
【図３】電子機器１００および第１の電池２００１の構成要素を説明するためのブロック図である。
【図４】電子機器１００および第２の電池２００２の構成要素を説明するためのブロック図である。
【図５】電子機器１００および第３の電池２００３の構成要素を説明するためのブロック図である。
【図６】電子機器１００の動作例を説明するためのフローチャートである。
【図７】第１の電池２００１の動作例を説明するためのフローチャートである。
【図８】第２の電池２００２の動作例を説明するためのフローチャートである。
【図９】第３の電池２００３の動作例を説明するためのフローチャートである。
【発明を実施するための形態】
【００１０】
以下、図面を参照して本発明の実施形態を説明する。ただし、本発明は以下の実施形態に限定されるものではない。
【００１１】
［実施形態１］
図１を参照して、実施形態１における電子機器１００を説明する。電子機器１００には、後述する３つの異なる電池（第１の電池２００１、第２の電池２００２および第３の電池２００３）が接続可能である。
【００１２】
電子機器１００は、デジタルカメラとして動作可能な電子機器である。電子機器１００の正面側に、被写体像を撮像素子（不図示）に結像する不図示のレンズユニットを有するレンズ鏡筒１０１が設けられている。電子機器１００の上面側には、電子機器１００を電源ＯＮ状態または電源ＯＦＦ状態に切り替える電源ボタン１０２と、２段階の押圧操作が可能なレリーズボタン１０３とが設けられている。レリーズボタン１０３に１段目の半押し操作が実行されると、撮像準備動作（測光動作、測距動作など）が開始され、２段目の全押し操作が実行されると、被写体を撮像し、電子機器１００内の記録媒体（不図示）に撮像画像に対応する画像データが記録される。電子機器１００の内部には、電池２００を収納する電池収納室１０５が設けられている。蓋１０７は、電子機器１００に対して回動可能に取り付けられ、閉じた際に電池収納室１０５を覆うように構成されている。図１は、蓋１０７が開いた状態を示しており、この状態にて電池の挿抜が可能である。また、電池収納室１０５の奥には、電池コネクタ１０８とＵＳＢ  ＴＹＰＥ−Ｃコネクタ１０６が設けられている。ＵＳＢ  ＴＹＰＥ−Ｃコネクタ１０６は、ＵＳＢ  ＴＹＰＥ−Ｃ規格に準拠する。電池コネクタ１０８は、プラス端子、マイナス端子、温度信号端子および認証端子の４接点構成となっている。ＵＳＢ  ＴＹＰＥ−Ｃコネクタ１０６は、レセプタクル側のコネクタであり、プラグ側のＵＳＢ  ＴＹＰＥ−Ｃコネクタと係合可能に構成されている。電子機器１００は、ＵＳＢ  ＴＹＰＥ−Ｃコネクタ１０６を介し、外部機器３００と電子機器１００との間でデータ通信および給電が可能に構成されている。
【００１３】
次に、図２（ａ）、図２（ｂ）および図２（ｃ）を参照して、電子機器１００に接続可能な３つの異なる電池（第１の電池２００１、第２の電池２００２および第３の電池２００３）を説明する。
【００１４】
図２（ａ）を参照して、第１の電池２００１を説明する。第１の電池２００１は、ＵＳＢ  ＰＤ規格に準拠していない古いタイプの電池である。第１の電池２００１の上面側には、電池コネクタ２０３が設けられている。電池コネクタ２０３は、プラス端子、マイナス端子、温度信号端子および認証端子を有し、電子機器１００に設けられた電池コネクタ１０８に接続することで、第１の電池２００１から電子機器１００への給電が可能となる。
【００１５】
次に、図２（ｂ）を参照して、第２の電池２００２を説明する。第２の電池２００２は、ＵＳＢ  ＰＤ規格に準拠した新しいタイプの電池である。第２の電池２００２の上面側には、ＵＳＢ  ＴＹＰＥ−Ｃコネクタ２０１が設けられている。ＵＳＢ  ＴＹＰＥ−Ｃコネクタ２０１は、プラグ側のコネクタである。ＵＳＢ  ＴＹＰＥ−Ｃコネクタ２０１は、ＵＳＢ  ＴＹＰＥ−Ｃ規格に準拠する。ＵＳＢ  ＴＹＰＥ−Ｃコネクタ２０１を電子機器１００に設けられたＵＳＢ  ＴＹＰＥ−Ｃコネクタ１０６に接続することで、第２の電池２００２から電子機器１００への給電が可能となる。第２の電池２００２の下面側には、ＵＳＢ  ＴＹＰＥ−Ｃコネクタ２０２が設けられている。ＵＳＢ  ＴＹＰＥ−Ｃコネクタ２０２は、レセプタクル側のコネクタであり、ＵＳＢ  ＴＹＰＥ−Ｃコネクタを有する外部機器３００にケーブルを介して接続可能に構成されている。このため、電子機器１００は、第２の電池２００２を経由し、第２の電池２００２の下面側に設けられたＵＳＢ  ＴＹＰＥ−Ｃコネクタ２０２に接続された外部機器３００と電子機器１００との間でデータ通信および給電が可能に構成されている。ＵＳＢ  ＴＹＰＥ−Ｃコネクタ２０２も、ＵＳＢ  ＴＹＰＥ−Ｃ規格に準拠する。
【００１６】
次に、図２（ｃ）を参照して、第３の電池２００３を説明する。第３の電池２００３は、ＵＳＢ  ＰＤ規格に準拠した新しいタイプの電池としてもＵＳＢ  ＰＤ規格に準拠していない古いタイプの電池としても動作可能な電池である。第３の電池２００３の上面側には、電池コネクタ２０３が設けられている。電池コネクタ２０３は、プラス端子、マイナス端子、温度信号端子および認証端子を有し、電子機器１００に設けられた電池コネクタ１０８に接続することで、第３の電池２００３から電子機器１００への給電が可能となる。また、第３の電池２００３の上面側には、ＵＳＢ  ＴＹＰＥ−Ｃコネクタ２０１が設けられている。ＵＳＢ  ＴＹＰＥ−Ｃコネクタ２０１は、プラグ側のコネクタである。ＵＳＢ  ＴＹＰＥ−Ｃコネクタ２０１を電子機器１００に設けられたＵＳＢ  ＴＹＰＥ−Ｃコネクタ１０６に接続することで、後述する制御方法によって第３の電池２００３から電子機器１００への給電が可能となる。第３の電池２００３の下面側には、ＵＳＢ  ＴＹＰＥ−Ｃコネクタ２０２が設けられている。ＵＳＢ  ＴＹＰＥ−Ｃコネクタ２０２は、レセプタクル側のコネクタであり、ＵＳＢ  ＴＹＰＥ−Ｃコネクタを有する外部機器３００にケーブルを介して接続可能に構成されている。このため、電子機器１００は第３の電池２００３を経由し、第３の電池２００３の下面側に設けられたＵＳＢ  ＴＹＰＥ−Ｃコネクタ２０２に接続された外部機器３００と電子機器１００との間でデータ通信および給電が可能に構成されている。
【００１７】
次に、図３を参照して、電子機器１００と第１の電池２００１の構成要素を説明する。図３は、第１の電池２００１に設けられた電池コネクタ２０３が、電池収納室１０５の奥に設けられた電池コネクタ１０８に接続された状態を示す。
【００１８】
まず、図３を参照して、電子機器１００の構成要素を説明する。電子機器１００は、第１の検出部１１７ａおよび第２の検出部１１７ｂを有する。第１の検出部１１７ａは電池コネクタ１０８の電圧上昇の有無を検出し、第２の検出部１１７ｂはＵＳＢ  ＴＹＰＥ−Ｃコネクタ１０６の電圧上昇の有無を検出し、それぞれ電源を制御する電源システム制御部１１２へ伝達される。詳細は後述するが、第１の検出部１１７ａの検出結果および第２の検出部１１７ｂの検出結果に基づき、スイッチ１１３へ所定のスイッチ切り替え指示を実行する。またＵＳＢ  ＴＹＰＥ−Ｃ規格に準拠した第２の電池２００２または第３の電池２００３を始めとする外部機器３００の接続検出を検出信号（以下、ＣＣ信号）の受信によって判定する。
【００１９】
さらに、電子機器１００は、ＤＣ−ＤＣコンバータ１１５を有する。ＤＣ−ＤＣコンバータ１１５は、スイッチ１１３によって選択された電圧を所定の電圧に変換して電子機器１００の各構成要素に供給する。さらに、電子機器１００は降圧部１１４を有し、電力供給元からＵＳＢ  ＰＤ規格に準拠した電力を所定の電圧に降下させた後、ＤＣ−ＤＣコンバータ１１５へ電力を供給している。さらに、電子機器１００はスイッチ１１３を有する。スイッチ１１３は初期状態ではａ−ｃ間、ｂ−ｃ間のいずれとも接続されていない。スイッチ１１３は、電源システム制御部１１２の指令に基づいて切り替え可能に構成されている。また、電子機器１００には、撮像制御を含むカメラの各種制御を司るカメラシステム制御部１１０を有する。カメラシステム制御部１１０は、給電に関するネゴシエーションが終了した後に、ユーザによって電源ボタン１０２が押下されることで起動し、カメラの各種機能が使用可能な状態となる。
【００２０】
次に、図３を参照して、第１の電池２００１の構成要素を説明する。第１の電池２００１は、充電可能な電池（例えばリチウムイオン電池）であり、少なくとも電池セル２１１を有する。電池セル２１１の出力電圧は、満充電状態で約３．７Ｖとする。前述の通り、第１の電池２００１の上面側には、電池コネクタ２０３が設けられている。電池コネクタ２０３および電池コネクタ１０８を介して電子機器１００に電力が供給される。
【００２１】
次に、図４を参照して、電子機器１００と第２の電池２００２の構成要素を説明する。図４は、第２の電池２００２に設けられたＵＳＢ  ＴＹＰＥ−Ｃコネクタ２０１が、電池収納室１０５の奥に設けられたＵＳＢ  ＴＹＰＥ−Ｃコネクタ１０６に接続された状態を示す。なお、図４に示す電子機器１００の構成要素は、図３に示す電子機器１００の構成要素と同様であるので、それらの説明を省略する。
【００２２】
第２の電池２００２は、充電可能な電池（例えばリチウムイオン電池）であり、少なくとも電池セル２１１および電池システム制御部２１２を有する。電池システム制御部２１２は、第２の電池２００２の各種制御と、第２の電池２００２と外部機器３００との間での、ＵＳＢ  ＰＤ規格に対応した所定のネゴシエーションとを司る。電池セル２１１の出力電圧は、満充電状態で約３．７Ｖとする。第２の電池２００２は、昇圧部２１９を有する。電池セル２１１に充電された電圧は、昇圧部２１９によってＵＳＢ  ＰＤ規格に対応した電圧（例えば５．０Ｖ）まで昇圧される。前述の通り、第２の電池２００２の上面側には、ＵＳＢ  ＴＹＰＥ−Ｃコネクタ２０１が設けられている。ＵＳＢ  ＴＹＰＥ−Ｃコネクタ２０１およびＵＳＢ  ＴＹＰＥ−Ｃコネクタ１０６を介して電子機器１００に電力が供給される。
【００２３】
第２の電池２００２は、検出部２１７を有しており、ＵＳＢ  ＴＹＰＥ−Ｃコネクタ２０２への外部機器３００の接続の有無をＣＣ信号によって判定する。第２の電池２００２はスイッチ２１３を有する。スイッチ２１３は初期状態ではａ−ｃ間で接続され、ＵＳＢ  ＴＹＰＥ−Ｃコネクタ２０２から供給される外部機器３００の電力および信号を電子機器１００に供給する構成となっている。スイッチ２１３は、電池システム制御部２１２の指令に基づいて切り替え可能に構成されている。
【００２４】
次に、図５を参照して、電子機器１００と第３の電池２００３の構成要素を説明する。図５は、第３の電池２００３に設けられた電池コネクタ２０３とＵＳＢ  ＴＹＰＥ−Ｃコネクタ２０１が、電池収納室１０５の奥に設けられた電池コネクタ１０８とＵＳＢ  ＴＹＰＥ−Ｃコネクタ１０６に接続された状態を示す。なお、図５に示す電子機器１００の構成要素は、図３に示す電子機器１００の構成要素と同様であるので、それらの説明を省略する。
【００２５】
第３の電池２００３は、充電可能な電池（例えばリチウムイオン電池）であり、少なくとも電池セル２１１および電池システム制御部２１２を有する。電池システム制御部２１２は、第３の電池２００３の各種制御と、第３の電池２００３と外部機器３００との間での、ＵＳＢ  ＰＤ規格に対応した所定のネゴシエーションとを司る。電池セル２１１の電圧は、満充電状態で約３．７Ｖとする。前述の通り、第３の電池２００３の上面側には、電池コネクタ２０３が設けられている。電池コネクタ２０３および電池コネクタ１０８を介して電子機器１００に電力が供給される。第３の電池２００３は、降圧部２１５を有する。ＵＳＢ  ＴＹＰＥ−Ｃコネクタ２０２から供給される外部機器３００の出力電圧は降圧部２１５によって電池セル２１１に対応した電圧（例えば３．７Ｖ）まで降圧された後、電池セル２１１の充電に用いられる。
【００２６】
第３の電池２００３は検出部２１７を有しており、ＵＳＢ  ＴＹＰＥ−Ｃコネクタ２０２への外部機器３００の接続の有無をＣＣ信号によって判定する。第３の電池２００３はスイッチ２１３を有する。スイッチ２１３は初期状態ではａ−ｃ間で接続され、ＵＳＢ  ＴＹＰＥ−Ｃコネクタ２０２から供給される外部機器３００の電力および信号を電子機器１００に供給する構成となっている。またスイッチ２１３は、電池システム制御部２１２の指令に基づいて切り替え可能に構成されている。電子機器１００は、電子機器１００が有する第１の検出部１１７ａおよび第２の検出部１１７ｂと、第３の電池２００３が有するスイッチ２１３とを適宜切り替えることにより、給電方法を適切に切り替えることが可能である。
【００２７】
次に、図６のフローチャートを参照して、電子機器１００の動作例を説明する。
【００２８】
電子機器１００に、第１の電池２００１、第２の電池２００２、第３の電池２００３のいずれかが挿入されると、電子機器１００に電力が供給される（ステップＳ６０１）。
【００２９】
続いて、第１の電池２００１、第２の電池２００２または第３の電池２００３から電力の供給を受けた電源システム制御部１１２が起動し（ステップＳ６０２）、ステップＳ６０３に進む。
【００３０】
ステップＳ６０３に進むと、第１の検出部１１７ａにおいて検出の有無を確認する（ステップＳ６０３）。より具体的には、第１の検出部１１７ａに電圧が付与されたか否かで検出結果を出力する。ステップＳ６０３において第１の検出部１１７ａにて電圧が検出されなかったならばステップＳ６０４に進む。ステップＳ６０４に進むと、第２の検出部１１７ｂにおいて検出の有無を確認する（ステップＳ６０４）。より具体的には、第２の検出部１１７ｂに電圧が付与されたか否かで検出結果を出力する。ステップＳ６０４において第２の検出部１１７ｂにて電圧が検出されなかった場合には、ステップＳ６０１に戻る。
【００３１】
ステップＳ６０４において第２の検出部１１７ｂにて電圧が検出されたならばステップＳ６０５に進む。ステップＳ６０５に進むと、電子機器１００は第２の電池２００２が接続されたと判定し、電源システム制御部１１２からの指令に基づきスイッチ１１３のｂ−ｃ間を接続する（ステップＳ６０６）。スイッチ１１３のｂ−ｃ間を接続すると、第２の電池２００２の電池セル２１１の出力電圧は昇圧部２１９にて昇圧されて、ＤＣ−ＤＣコンバータ１１５へ電力が供給される。この状態でユーザの操作により電源ボタン１０２の押下が検出されると（ステップＳ６０７）、ステップＳ６３１に進む。そしてカメラシステム制御部１１１が起動し（ステップＳ６３１）、電子機器１００が使用可能な状態となり、ステップＳ６３２に進む。
【００３２】
一方、ステップＳ６０３において第１の検出部１１７ａにて電圧が検出されたならばステップＳ６１１に進む。ステップＳ６１１に進むと、電源システム制御部１１２は、電池システム制御部２１２から送信されてきたＣＣ信号の受信有無を確認する（ステップＳ６１１）。ステップＳ６１２に進む。ステップＳ６１２においてＣＣ信号が受信されなかったならばステップＳ６１３に進む。ステップＳ６１３に達すると、電子機器１００は第１の電池２００１が接続されたと判定し、電源システム制御部１１２からの指令に基づきスイッチ１１３のａ−ｃ間を接続する（ステップＳ６１４）。スイッチ１１３のａ−ｃ間を接続すると、第１の電池２００１の電池セル２１１の出力電圧のままＤＣ−ＤＣコンバータ１１５へ電力が供給される。この状態でユーザの操作により電源ボタン１０２の押下が検出されると（ステップＳ６１５）ステップＳ６３１に進む。そしてカメラシステム制御部１１１が起動し（ステップＳ６３１）、電子機器１００が使用可能な状態となり、ステップＳ６３２に進む。
【００３３】
また、ステップＳ６１２においてＣＣ信号が受信されたならばステップＳ６２１に進む。ステップＳ６２１に達すると、電子機器１００は第３の電池２００３が接続されたと判定し、ステップＳ６２２に進む。ステップＳ６２２では電源システム制御部１１２と電池システム制御部２１２間でネゴシエーションが実行され、第３の電池２００３に外部機器３００が接続されたかの有無を確認する（ステップＳ６２３）。
【００３４】
ステップＳ６２３において、第３の電池２００３に外部機器３００の接続が無いと判定されるとステップＳ６２４に進む。ステップＳ６２４では電源システム制御部１１２からの指令に基づきスイッチ１１３のａ−ｃ間を接続する（ステップＳ６２４）。スイッチ１１３のａ−ｃ間を接続すると、第３の電池２００３の電池セル２１１の出力電圧のままＤＣ−ＤＣコンバータ１１５へ電力が供給される。
【００３５】
一方、ステップＳ６２３において、第３の電池２００３に外部機器３００の接続が有ると判定されるとステップＳ６２５に進む。ステップＳ６２５では電源システム制御部１１２からの指令に基づきスイッチ１１３のｂ−ｃ間を接続する（ステップＳ６２５）。スイッチ１１３のｂ−ｃ間を接続すると、第３の電池２００３に接続された外部機器３００からＤＣ−ＤＣコンバータ１１５へ電力が供給される。この状態でユーザの操作により電源ボタン１０２の押下が検出されると（ステップＳ６２６）、ステップＳ６３１に進む。そして、カメラシステム制御部１１１が起動し（ステップＳ６３１）、電子機器１００が使用可能な状態となり、ステップＳ６３２に進む。
【００３６】
ステップＳ６３２に進んだならば、電子機器１００を使用している最中に第１の検出部１１７ａ、第２の検出部１１７ｂの検出状況の変化の有無を判定する（ステップＳ６３２）。第１の検出部１１７ａ、第２の検出部１１７ｂの検出状況に変化が有る場合には、ステップＳ６０３に戻る。
【００３７】
次に、図７のフローチャートを参照して、第１の電池２００１の動作例を説明する。
【００３８】
電子機器１００に、第１の電池２００１が挿入され（ステップＳ７０１）、第１の電池２００１側の電池コネクタ２０３が電池コネクタ２００２に接続されると、第１の電池２００１は電子機器１００へ給電を開始する（ステップＳ７０２）。
【００３９】
次に、図８のフローチャートを参照して、第２の電池２００２の動作例を説明する。
【００４０】
電子機器１００に、第２の電池２００２が挿入され（ステップＳ８０１）、ＵＳＢ  ＴＹＰＥ−Ｃコネクタ２０１がＵＳＢ  ＴＹＰＥ−Ｃコネクタ１０６に接続されると、ステップＳ８０２に進む。ステップＳ８０２において、第２の電池２００２は電子機器１００への給電を開始する。次に、電池システム制御部２１２は、電子機器１００へＣＣ信号を送信する（ステップＳ８０３）。続いて、電池システム制御部２１２は、ＵＳＢ  ＴＹＰＥ−Ｃコネクタ２０２にＵＳＢ  ＴＹＰＥ−Ｃ規格に準拠した外部機器３００が接続されたか否か判定する（ステップＳ８０４）。つまり、第２の電池２００２内の電源システム制御部２１２が外部機器３００からのＣＣ信号を受信したかどうかを判定する。外部機器３００の接続が確認されたのならば、ステップＳ８０５からステップＳ８１１に進み、外部機器３００の接続が確認されなかったのであれば、ステップＳ８０５からステップＳ８０６に進む。
【００４１】
ステップＳ８０６に進んだならば、第２の電池２００２の電池セル２１１の出力電圧は昇圧部２１９にて昇圧されて、ＵＳＢ  ＰＤ規格に準拠した電圧にて第２の電池２００２から電子機器１００へ給電を開始し（ステップＳ８０６）、ステップＳ８２１に進む。
【００４２】
ステップＳ８１１に進んだならば、第２の電池２００２内の電池システム制御部２１２と外部機器３００との間でネゴシエーションにより第２の電池２００２が外部機器３００から電力の供給を受けているか否かを判定する（ステップＳ８１１）。電力の供給を受けているのならば、ステップＳ８１２からステップＳ８１３に進み、電力の供給を受けていないのであれば、ステップＳ８１２からステップＳ８０６に進む。
【００４３】
ステップＳ８０６に進んだならば、ＵＳＢ  ＰＤ規格に準拠した電圧にて外部機器３００から第２の電池２００２へ供給されてきた電力をその電圧のまま電子機器１００へ給電を開始し（ステップＳ８０６）、ステップＳ８２１に進む。
【００４４】
ステップＳ８１２において、電力の供給を受けていると判定されると、ステップＳ８１３に進む。ステップＳ８１３に進んだならば、電子機器１００が電源ＯＦＦ状態であるか否かを判定する（ステップＳ８１３）。電子機器１００が電源ＯＦＦ状態である場合、ステップＳ８１３からステップＳ８１４に進み、電子機器１００が電源ＯＦＦ状態でない場合、ステップＳ８１３からステップＳ８１５に進む。
【００４５】
ステップＳ８１４に進んだならば、電池システム制御部２１２からの指令に基づきスイッチ２１３のａ−ｃ間を接続し（ステップＳ８１４）、ステップＳ８０６に進む。
【００４６】
ステップＳ８０６に進んだならば、ＵＳＢ  ＰＤ規格に準拠した電圧にて外部機器３００から第２の電池２００２へ供給されてきた電力をその電圧のまま電子機器１００へ給電を開始し（ステップＳ８０６）、ステップＳ８２１に進む。
【００４７】
ステップＳ８１３において、電子機器１００が電源ＯＦＦ状態である場合と判定されると、ステップＳ８１５に進む。ステップＳ８１５に進んだならば、電池システム制御部２１２からの指令に基づきスイッチ２１３のａ−ｂ間を接続し（ステップＳ８１５）、ステップＳ８１６に進む。ステップＳ８１６に進んだならば、外部機器３００から第２の電池２００２へ供給される電力による電池セル２１１の充電を開始し（ステップＳ８１６）、ステップＳ８２１に進む。
【００４８】
ステップＳ８２１に進んだならば、電子機器１００を使用している最中に、外部機器３００からの第２の電池２００２への給電状況が変化したかどうかを判定する（ステップＳ８２１）。給電が途絶えたり、給電が開始されたりして給電状況の変化が起きた場合には、ステップＳ８１１に戻る。給電状況に変化が起きなかった場合には、ステップＳ８２２に進む。
【００４９】
ステップＳ８２２に進んだならば、第２の電池２００２への外部機器３００の接続状況が変化したかどうかを判定する（ステップＳ８２２）。外部機器３００が第２の電池２００２から取り外されたり、外部機器３００が第２の電池２００２に接続されたりした場合には、ステップＳ８０４に戻る。
【００５０】
次に、図９のフローチャートを参照して、第３の電池２００３の動作例を説明する。
【００５１】
電子機器１００に、第３の電池２００３が挿入され（ステップＳ９０１）、第３の電池２００３のＵＳＢ  ＴＹＰＥ−Ｃコネクタ２０１がＵＳＢ  ＴＹＰＥ−Ｃコネクタ１０６に接続されると、ステップＳ９０２に進む。ステップＳ９０２において、第３の電池２００３は電子機器１００への給電を開始する。次に、電池システム制御部２１２は、電子機器１００へＣＣ信号を送信する（ステップＳ９０３）。続いて、電池システム制御部２１２は、ＵＳＢ  ＴＹＰＥ−Ｃコネクタ２０２にＵＳＢ  ＴＹＰＥ−Ｃ規格に準拠した外部機器３００が接続されたか否か判定する（ステップＳ９０４）。つまり、第３の電池２００３内の電源システム制御部２１２が外部機器３００からのＣＣ信号を受信したかどうかを判定する。外部機器３００の接続が確認されたのならば、ステップＳ９０５からステップＳ９１１に進み、外部機器３００の接続が確認されなかったのであれば、ステップＳ９０５からステップＳ９０６に進む。
【００５２】
ステップＳ９０６に進んだならば、第３の電池２００３の電池セル２１１の出力電圧のまま電子機器１００へ給電を開始し（ステップＳ９０６）、ステップＳ９２１に進む。
【００５３】
ステップＳ９１１に進んだならば、第３の電池２００３内の電池システム制御部２１２と外部機器３００との間でネゴシエーションにより第３の電池２００３が外部機器３００から電力の供給を受けているか否かを判定する（ステップＳ９１１）。電力の供給を受けているのならば、ステップＳ９１２からステップＳ９１３に進み、電力の供給を受けていないのであれば、ステップＳ９１２からステップＳ９０６に進む。
【００５４】
ステップＳ９０６に進んだならば、第３の電池２００３の電池セル２１１の出力電圧のまま電子機器１００へ給電を開始し（ステップＳ９０６）、ステップＳ９２１に進む。
【００５５】
ステップＳ９１２において、電力の供給を受けていると判定されると、ステップＳ９１３に進む。ステップＳ９１３に進んだならば、電子機器１００が電源ＯＦＦ状態であるか否かを判定する（ステップＳ９１３）。電子機器１００が電源ＯＦＦ状態である場合、ステップＳ９１３からステップＳ９１４に進み、電子機器１００が電源ＯＦＦ状態でない場合、ステップＳ９１３からステップＳ９１６に進む。
【００５６】
ステップＳ９１４に進んだならば、電池システム制御部２１２からの指令に基づきスイッチ２１３のａ−ｃ間を接続し（ステップＳ９１４）、ステップＳ９１５に進む。
【００５７】
ステップＳ９１５に進んだならば、ＵＳＢ  ＰＤ規格に準拠した電圧にて外部機器３００から第３の電池２００３へ供給されてきた電力をその電圧のまま電子機器１００へ給電を開始し（ステップＳ９１５）、ステップＳ９２１に進む。
【００５８】
ステップＳ９１３において、電子機器１００が電源ＯＦＦ状態である場合と判定されると、ステップＳ９１６に進む。ステップＳ９１６に進んだならば、電池システム制御部２１２からの指令に基づきスイッチ２１３のａ−ｂ間を接続し（ステップＳ９１６）、ステップＳ９０６に進む。ステップＳ９１７に進んだならば、外部機器３００から第３の電池２００３へ供給される電力による電池セル２１１の充電を開始し（ステップＳ９１７）、ステップＳ９２１に進む。
【００５９】
ステップＳ９２１に進んだならば、電子機器１００を使用している最中に、外部機器３００からの第３の電池２００３への給電状況が変化したかどうかを判定する（ステップＳ９２１）。給電が途絶えたり、給電が開始されたりして給電状況の変化が起きた場合には、ステップＳ９１１に戻る。給電状況に変化が起きなかった場合には、ステップＳ９２２に進む。
【００６０】
ステップＳ９２２に進んだならば、第３の電池２００３への外部機器３００の接続状況が変化したかどうかを判定する（ステップＳ９２２）。外部機器３００が第３の電池２００３から取り外されたり、外部機器３００が第３の電池２００３に接続されたりした場合には、ステップＳ９０４に戻る。
【００６１】
以上説明したように、実施形態１によれば、電子機器１００は、ＵＳＢ  ＰＤ規格に準拠した新しいタイプの電池（第２の電池２００２）とＵＳＢ  ＰＤ規格に準拠していない古いタイプの電池（第１の電池２００１）のいずれも利用可能である。さらに、電子機器１００は、ＵＳＢ  ＰＤ規格に準拠した新しいタイプの電池としてもＵＳＢ  ＰＤ規格に準拠していない古いタイプの電池としても動作可能な電池（第３の電池２００３）も利用可能である。
【００６２】
なお、本発明の実施形態は上述の実施形態１に限定されるものではない。発明の要旨を逸脱しない範囲で変更または修正された実施形態１も本発明の実施形態に含まれる。
【００６３】
例えば、実施形態１では、第１の電池２００１、第２の電池２００２および第３の電池２００３がリチウムイオン電池である場合を説明したが、これに限るものではない。第１の電池２００１、第２の電池２００２および第３の電池２００３の全てまたは一部がリチウムイオン電池以外の種類の電池であってもよい。
【００６４】
例えば、実施形態１では、第１の電池２００１、第２の電池２００２および第３の電池２００３の出力電圧が満充電状態で約３．７Ｖであるとして説明したが、これに限るものではない。第１の電池２００１、第２の電池２００２および第３の電池２００３の出力電圧は、満充電状態で約７．４Ｖであっても、約３．７Ｖおよび約７．４Ｖとは異なる電圧であってもよい。
【００６５】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００６６】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【符号の説明】
【００６７】
１００  電子機器
１０５  電池収納室
２００１  第１の電池
２００２  第２の電池
２００３  第３の電池
３００  外部機器
【図１】
2019092291.tif 000003
【図２】
2019092291.tif 000004
【図３】
2019092291.tif 000005
【図４】
2019092291.tif 000006
【図５】
2019092291.tif 000007
【図６】
2019092291.tif 000008
【図７】
2019092291.tif 000009
【図８】
2019092291.tif 000010
【図９】
2019092291.tif 000011